(57)【要約】【課題】作業空間内における作業性が損なわれるのを抑えることができるパネル部材、フード、フード付き作業台を提供する。【解決手段】作業面１２ｔとの間に左右方向の内側に開口する空間５０Ｓを画成する下部フレーム４７を備えるパネル体４２Ｐと、空間５０Ｓに配置され、パネル体４２Ｐを作業面１２ｔに固定する固定部材６０と、を備える。【選択図】図４
2019166432.tif 000002
【特許請求の範囲】
【請求項１】
取付面との間に、前記取付面に平行な方向のうちパネル厚さ方向の第一側に開口する空間を画成する横材を備えるパネル体と、
前記空間に配置され、前記パネル体を前記取付面に固定する固定部材と、を備えるパネル部材。
【請求項２】
前記パネル厚さ方向における第一側から前記パネル体に着脱可能に設けられ、前記空間を閉塞するカバー部材をさらに備える請求項１に記載のパネル部材。
【請求項３】
前記パネル体に対する前記カバー部材の前記パネル厚さ方向での位置を位置決めする位置決め部材をさらに備える請求項２に記載のパネル部材。
【請求項４】
前記位置決め部材は、前記固定部材と一体に設けられている請求項３に記載のパネル部材。
【請求項５】
前記固定部材は、
前記取付面に固定される第一固定部と、
前記パネル体の側方に設けられて前記取付面の法線方向に延びる縦材に固定される第二固定部と、を一体に備える請求項１から請求項４のいずれか一項に記載のパネル部材。
【請求項６】
前記横材は、
前記取付面の法線方向で前記取付面に対向配置された対向部と、
前記対向部から前記取付面に向けて延在して、前記空間を前記パネル厚さ方向の第二側から閉塞する閉塞部と、を一体で備える請求項１から請求項５のいずれか一項に記載のパネル部材。
【請求項７】
前記固定部材は、
前記取付面に固定される第三固定部と、
前記閉塞部に固定される第四固定部と、を一体に備える請求項６に記載のパネル部材。
【請求項８】
作業台の天板上に設置されるフードであって、
下方に開口したフード本体を備え、
前記フード本体の少なくとも一部に、請求項１から請求項７のいずれか一項に記載のパネル部材を備えるフード。
【請求項９】
請求項８に記載のフードを備えるフード付き作業台。
【発明の詳細な説明】
【技術分野】
【０００１】
本発明は、パネル部材、フード、フード付き作業台に関する。
【背景技術】
【０００２】
実験、研究等の作業を行う際に、周囲の環境や作業者にとって有害であったり不快感を与えられたりするガスや臭いが発生する場合がある。このような場合、例えば特許文献１，２等に示されるようなドラフトチャンバーやヒュームフード、卓上フード（以下、これらをフードと称する）が用いられている。フードは、作業を行う作業台上に設置され、フードの内側に形成される作業空間内の雰囲気を吸引することで、ガスや臭いがフードの周囲に漏出するのを抑える。
【０００３】
上記のようなフードの前面、後面、側面、上面の各面は、ガラス等からなるパネルと、パネルの外周部を支持するフレームと、を備えている。このようなフードを天板の作業面上に設置するには、フレームの下端部を、天板の作業面に取付金具等を用いて固定するのが一般的である。取付金具としては、天板の作業面に沿う第一面と、第一面に直交して上方に向かって延び、フレームに沿う第二面とを有した、Ｌ字状のものが多用される。
【先行技術文献】
【特許文献】
【０００４】
【特許文献１】特許第３５５３３５５号公報
【特許文献２】特許第６０３７７８５号公報
【発明の概要】
【発明が解決しようとする課題】
【０００５】
しかしながら、Ｌ字状の取付金具を用いた場合、取付金具の第一面が、フードの各面のフレームの下端部から、フード内の作業空間側に突出することとなる。すると、作業空間に突出した取付金具によって、フードの美観が損なわれる。また、作業空間に突出した取付金具により、天板の作業面上で利用できる有効エリアが狭まったり、作業面上で用いる物品や作業者の手が取付金具に引っ掛かったりする等して、作業性が損なわれる場合もある。
【０００６】
本発明は、美観が損なわれるのを抑えるとともに、作業空間内における作業性が損なわれるのを抑えることができるパネル部材、フード、フード付き作業台を提供することを目的とする。
【課題を解決するための手段】
【０００７】
上記目的を達成するために、本発明の一態様に係るパネル部材は、取付面との間に、前記取付面に平行な方向のうちパネル厚さ方向の第一側に開口する空間を画成する横材を備えるパネル体と、前記空間に配置され、前記パネル体を前記取付面に固定する固定部材と、を備える。
【０００８】
本態様によれば、空間内に固定部材を配置することで、パネル部材の第一側に固定部材が突出するのを抑えることができる。これにより、パネル部材の美観が損なわれるのを抑えることができる。また、取付面上での有効エリアが狭まったり、取付面上で用いる物品や作業者の手が固定部材に引っ掛かったりする等して、作業性が損なわれるのを抑えることができる。
【０００９】
本発明の一態様に係るパネル部材において、前記パネル厚さ方向における第一側から前記パネル体に着脱可能に設けられ、前記空間を閉塞するカバー部材をさらに備えてもよい。
この構成によれば、カバー部材によって固定部材を第一側から覆うことができるので、固定部材が空間外に露呈するのを抑えることができる。
【００１０】
本発明の一態様に係るパネル部材において、前記パネル体に対する前記カバー部材の前記パネル厚さ方向での位置を位置決めする位置決め部材をさらに備えてもよい。
この構成によれば、パネル厚さ方向において、カバー部材を容易かつ確実に位置決めすることができる。
【００１１】
本発明の一態様に係るパネル部材において、前記位置決め部材は、前記固定部材と一体に設けられていてもよい。
この構成によれば、パネル部材を構成する部品点数を抑えることができる。
【００１２】
本発明の一態様に係るパネル部材において、前記固定部材は、前記取付面に固定される第一固定部と、前記パネル体の側方に設けられて前記取付面の法線方向に延びる縦材に固定される第二固定部と、を一体に備えてもよい。
この構成によれば、パネル部材が固定部材を介して縦材に支持されるので、パネル部材を取付面に安定して固定できる。
【００１３】
本発明の一態様に係るパネル部材において、前記横材は、前記取付面の法線方向で前記取付面に対向配置された対向部と、前記対向部から前記取付面に向けて延在して、前記空間を前記パネル厚さ方向の第二側から閉塞する閉塞部と、を一体で備えてもよい。
この構成によれば、パネル部材の第二側に、固定部材や着脱可能なカバー部材が露呈することがなく、美観を向上させることができる。
【００１４】
本発明の一態様に係るパネル部材において、前記固定部材は、前記取付面に固定される第三固定部と、前記閉塞部に固定される第四固定部と、を一体に備えてもよい。
この構成によれば、取付面とパネル体の閉塞部とを、固定部材を介して強固に固定することができる。
【００１５】
本発明の一態様に係るフードは、作業台の天板上に設置されるフードであって、下方に開口したフード本体を備え、前記フード本体の少なくとも一部に、上記態様のパネル部材を備える。
この構成によれば、美観及び作業性に優れたフードを提供できる。
【００１６】
本発明の一態様に係るフード付き作業台は、上記態様に係るフードを備える。
この構成によれば、美観及び作業性に優れたフード付き作業台を提供できる。
【発明の効果】
【００１７】
本発明の一態様によれば、美観が損なわれるのを抑えるとともに、取付面上での作業性が損なわれるのを抑えることができる。
【図面の簡単な説明】
【００１８】
【図１】本実施形態に係るフード付き作業台の全体構成を示す斜視図である。
【図２】上記フード付き作業台を図１とは異なる角度から見た斜視図である。
【図３】側部パネルの構成を示す斜視展開図である。
【図４】側部パネルの天板の作業面に対する固定構造を示す斜視図である。
【図５】カバー部材を取り外した状態における側部パネルの天板の作業面に対する固定構造を示す斜視図である。
【図６】図５の拡大図である。
【図７】空間をカバー部材で閉塞した状態を示す側壁部の部分斜視図である。
【図８】側部パネルの天板の作業面に対する固定構造の変形例を示す斜視図である。
【図９】側部パネルの天板の作業面に対する固定構造の他の変形例を示す斜視図である。
【図１０】側部パネルの天板の作業面に対する固定構造の他の変形例を示す斜視図である。
【発明を実施するための形態】
【００１９】
以下、添付図面を参照して、本発明によるパネル部材、フード、フード付き作業台を実施するための形態を説明する。しかし、本発明は本実施形態のみに限定されるものではない。
【００２０】
［フード付き作業台］
図１は、本実施形態に係るフード付き作業台１の全体構成を示す斜視図である。図２は、上記フード付き作業台を図１とは異なる角度から見た斜視図である。
図１、図２に示すように、フード付き作業台１は、天板１２を有した作業台本体１０と、作業台本体１０の天板１２に設けられたフード２０と、を備えている。このようなフード付き作業台１は、例えば、実験、研究を行う施設の室内等に設置され、フード２０の内側に形成される作業空間Ｓ１内の気体がフード２０から室内に漏出するのを抑える。
【００２１】
＜作業台本体＞
作業台本体１０は、床面上に設置される下部構造部１１と、下部構造部１１上に設けられる天板１２と、を備えている。天板１２は、その上面に、水平面内に位置する作業面（取付面）１２ｔを有する。
【００２２】
＜フード＞
フード２０は、下方に向けて開口する箱型に形成されている。フード２０は、天板１２上に組み付られることで、天板１２の作業面１２ｔとともに、略直方体状の作業空間Ｓ１を画成する。
【００２３】
フード２０は、水平方向の一方の側に開口する開口部２１Ａ、および水平方向において開口部２１Ａとは反対側に開口する開口部２１Ｂを有する。
以下の説明において、開口部２１Ａが開口する方向を「前方」、開口部２１Ｂが開口する方向を「後方」とし、開口部２１Ａと開口部２１Ｂとを結ぶ方向を「前後方向」、水平面内において前後方向に直交する方向を「左右方向（パネル厚さ方向）」、前後方向および左右方向に直交する方向を「上下方向（法線方向）」と称することとする。図中において、矢印ＵＰは上方を示し、矢印ＦＲは前方を示し、矢印ＬＨは左方を示している。
【００２４】
フード２０は、前方に位置し、開口部２１Ａを有する前壁部２２と、後方に位置し、開口部２１Ｂを有する後壁部２３と、前壁部２２および後壁部２３に対し、左右方向両側に設けられた側壁部２４と、上壁部２５と、を備えている。
【００２５】
前壁部２２は、天板１２の前端部１２ｆに配置され、作業面１２ｔから上方に向かって延びるよう立設されている。前壁部２２は、一対の支柱（縦材）３１と、一対の支柱３１の間に設けられた固定壁３２および昇降扉３３と、を備える。
【００２６】
支柱３１は、天板１２の左右方向両側に設けられ、作業面１２ｔから上方に向かって延びるよう立設されている。
【００２７】
固定壁３２は、前壁部２２の上半部に設けられている。固定壁３２は、上下に間隔をあけて設けられ、それぞれ左右方向に延びて両端部が一対の支柱３１に接続された上下の枠材３２ａと、上下の枠材３２ａの間に組み込まれたパネル３２ｃと、を備えている。パネル３２ｃは、金属、ガラス（例えば強化ガラス）、合成樹脂（例えば、アクリル樹脂やポリカーボネート樹脂）等から形成されている。パネル３２ｃは、光透過性を有する材料から形成してもよい。
【００２８】
昇降扉３３は、一対の支柱３１に設けられたガイド部３１ｇに沿って、上下方向に昇降可能に設けられている。フード２０では、昇降扉３３を上方にスライドさせることで、昇降扉３３の下端と天板１２の作業面１２ｔとの間に開口部２１Ａが形成される。昇降扉３３は、上下の桟材３３ａ，３３ｂと、上下の桟材３３ａ，３３ｂの間に設けられたパネル３３ｃと、を備えている。パネル３３ｃは、光透過性を有したガラス（例えば、強化ガラス）、合成樹脂（例えば、アクリル樹脂やポリカーボネート樹脂）等から形成されている。
【００２９】
後壁部２３は、天板１２の後端部に配置され、作業面１２ｔから上方に向かって延びるよう立設されている。これにより、後壁部２３は、前壁部２２に対し、前後方向に間隔をあけて対向配置されている。本実施形態において、後壁部２３は、前壁部２２と同様の構成を有している。すなわち、後壁部２３は、一対の支柱３１と、一対の支柱３１の間に設けられた固定壁３２および昇降扉３３と、を備えている。後壁部２３では、昇降扉３３が上方にスライドすることで、昇降扉３３の下端と天板１２の作業面１２ｔとの間に開口部２１Ｂが形成される。
なお、後壁部２３は、昇降扉３３（開口部２１Ｂ）を有さない構成としてもよい。
【００３０】
側壁部２４は、前壁部２２の支柱３１と、後壁部２３の支柱３１との間に設けられている。側壁部２４は、天板１２における左右両側の側端部１２ｓに配置され、作業面１２ｔから上方に向かって延びるよう立設されている。
【００３１】
図３は、側部パネル４２の構成を示す斜視展開図である。
図１から図３に示すように、側壁部２４は、前後方向の中間部に配置された中間柱（縦材）４１と、中間柱４１の前後にそれぞれ設けられた側部パネル（パネル部材）４２と、を備えている。
中間柱４１は、天板１２の作業面１２ｔから上方に向かって延びるよう立設されている。
【００３２】
側部パネル４２は、天板１２の左右方向両側の側端部１２ｓにそれぞれ配置されている。側部パネル４２は、支柱３１および中間柱４１間を架け渡し、支柱３１および中間柱４１間を左右方向に仕切っている。側部パネル４２の上部（後述する上部フレーム４６）は、支柱３１および中間柱４１に連結されている。各側部パネル４２は、パネル体４２Ｐと、パネル体４２Ｐを作業面１２ｔに固定する固定部材６０と、を備えている。パネル体４２Ｐは、その外周部に設けられた矩形のフレーム４３と、フレーム４３の内側に設けられたパネル材４４と、を備えている。
【００３３】
図３に示すように、フレーム４３は、上部フレーム４６と、下部フレーム（横材）４７と、一対の側部フレーム４８と、を備えている。
【００３４】
一対の側部フレーム４８は、それぞれ、天板１２の作業面１２ｔから上方に向かって延びるよう立設されている。側部フレーム４８は、支柱３１または中間柱４１に沿って設けられている。
【００３５】
上部フレーム４６は、側部パネル４２の上端部に沿って、前後方向に延びている。上部フレーム４６は、一対の側部フレーム４８の上端部間に設けられている。
【００３６】
下部フレーム４７は、前後方向に延在して、一対の側部フレーム４８の下端部同士を架け渡している。下部フレーム４７は、例えば下方に開口するＪ字状をなしている。具体的に、下部フレーム４７は、作業面１２ｔに上下方向で対向配置された対向部４７ａと、側部パネル４２の一面４２ｉ側（第一側）において対向部４７ａから下方に延びる垂下片４７ｂと、側部パネル４２の他面４２ｏ側において対向部４７ａから下方に延びる閉塞部４７ｃと、を有している。
【００３７】
対向部４７ａは、作業面１２ｔから所定寸法上方に配置され、前後方向に沿って作業面１２ｔと平行に延在している。
垂下片４７ｂは、閉塞部４７ｃに対して上下方向の長さが短くなっている。
閉塞部４７ｃは、作業面１２ｔに上方から近接または当接する位置まで延在している。
【００３８】
パネル材４４は、金属、ガラス（例えば、強化ガラス）、合成樹脂（例えば、アクリル樹脂やポリカーボネート樹脂）等から形成されている。パネル材４４は、光透過性を有する材料から形成してもよい。
【００３９】
図２に示すように、上壁部２５は、前後方向の両側に設けられた梁材５１と、前後の梁材５１の中間部に設けられた中間梁５２と、上部パネル５３と、排出口５４と、を備えている。
【００４０】
各梁材５１は、左右方向に沿って延び、その両端部が、前壁部２２および後壁部２３の左右方向両側に位置する一対の支柱３１の上端部に連結されている。中間梁５２は、前後の梁材５１に対し、前後方向の中間部に配置されている。本実施形態において、中間梁５２は、前後方向に間隔をあけて２本設けられている。各中間梁５２は、左右方向に沿って延び、その両端部が、側壁部２４の上部フレーム４６に連結されている。
【００４１】
上部パネル５３は、前後方向で互いに隣り合う梁材５１と中間梁５２との間、および前後方向で互いに隣り合う中間梁５２同士の間に、それぞれ設けられている。上部パネル５３は、金属、ガラス（例えば、強化ガラス）、合成樹脂（例えば、アクリル樹脂やポリカーボネート樹脂）等から形成されている。上部パネル５３は、光透過性を有する材料から形成してもよい。
【００４２】
排出口５４は、上壁部２５の前後方向の中間部に位置する上部パネル５３に設けられている。排出口５４は、上壁部２５を上下方向に貫通し、フード２０内の作業空間Ｓ１とフード２０外とを連通している。この排出口５４には、筒状の排気ダクト（図示無し）が接続される。排気ダクトは、排出ファン（図示無し）に接続され、作業空間Ｓ１内から吸い出した気体を外部に排出する。
【００４３】
このようなフード付き作業台１は、天板１２の作業面１２ｔ上で各種の実験や研究等のための作業を行う際に、排気ファン（図示無し）を作動させる。すると、排出口５４を通して作業空間Ｓ１内の気体が吸い出され、作業空間Ｓ１内の圧力が、フード付き作業台１が設置された室内の空間Ｓ２の雰囲気の圧力よりも低くなる。このように、作業空間Ｓ１内を負圧とすることで、作業空間Ｓ１内の気体が、室内の空間Ｓ２に漏出するのを抑える。
なお、作業空間Ｓ１の内部に作業者がアクセスする場合には、前壁部２２や後壁部２３の昇降扉３３を上昇させて開口部２１Ａや２１Ｂを開く。このとき、不図示の制御装置によって、昇降扉３３の昇降動作や作業空間Ｓ１内の圧力を検出し、排気ファン（図示無し）による気体の吸引量の調整を行い、作業空間Ｓ１内の圧力を適切に制御する。
【００４４】
［側部パネル４２の固定構造］
次に、上記側部パネル４２の天板１２の作業面１２ｔに対する固定構造について説明する。
図４は、側部パネル４２の天板１２の作業面１２ｔに対する固定構造を示す分解斜視図である。図５は、カバー部材７０を取り外した状態における側部パネル４２の天板１２の作業面１２ｔに対する固定構造を示す斜視図である。
図４、図５に示すように、上述した下部フレーム４７は、作業面１２ｔ、中間柱４１および支柱３１とともに、側部パネル４２の一面４２ｉ側に開口する空間５０Ｓを形成する。すなわち、空間５０Ｓは、下部フレーム４７の対向部４７ａにより上方が閉塞され、閉塞部４７ｃにより側部パネル４２の他面４２ｏ側が閉塞され、作業面１２ｔにより下方が閉塞され、支柱３１により前方が閉塞され、中間柱４１により後方が閉塞されている。これにより、側部パネル４２は、空間５０Ｓが開口する一面４２ｉ側がフード本体２０Ａの内部側に臨むよう設けられている。
【００４５】
上述した固定部材６０は、空間５０Ｓ内に配置されている。固定部材６０は、空間５０Ｓ内で、前後方向両側の支柱３１または中間柱４１に沿う位置にそれぞれ配置されている。
【００４６】
図６は、図５の拡大図である。
図６に示すように、各固定部材６０は、ベース板部（第一固定部）６２と、連結板部（第二固定部）６３と、位置決め部材６７と、を一体に備える。
【００４７】
ベース板部６２は、作業面１２ｔに沿って延びる平面視矩形の板状で、ボルト挿通孔６２ｈが形成されている。ベース板部６２は、各ボルト挿通孔６２ｈに挿通させたボルト６５によって、作業面１２ｔに固定される。
【００４８】
連結板部６３は、ベース板部６２の一辺から上方に延びる板状で、ボルト挿通孔６３ｈ（図５参照）が複数形成されている。連結板部６３は、支柱３１または中間柱４１に沿うよう配置される。連結板部６３は、各ボルト挿通孔６３ｈ（図５参照）に挿通させたボルト６６によって、支柱３１または中間柱４１に固定される。これにより、支柱３１および中間柱４１の下端部は、それぞれ、固定部材６０によって作業面１２ｔに締結固定されている。
【００４９】
このようにして支柱３１または中間柱４１に固定された連結板部６３上には、下部フレーム４７（対向部４７ａ）が載置される。この場合、下部フレーム４７は、連結板部６３を、垂下片４７ｂと閉塞部４７ｃとの間に左右方向で挟み込むことで、左右方向への移動が拘束されている。下部フレーム４７の両端部には、側部フレーム４８の下端部が、下方から上方に向かって延びるボルト（図示無し）によって締結固定されている。
【００５０】
位置決め部材６７は、連結板部６３において側部パネル４２の一面４２ｉ側の端部６３ｉから、前後方向に沿って空間５０Ｓの中間部側に突出して形成されている。このようにして、位置決め部材６７は、固定部材６０と一体に設けられている。この位置決め部材６７は、後述するカバー部材７０における左右方向の外側（側部パネル４２の一面４２ｉ側から他面４２ｏ側に向かう方向）への移動を規制する。なお、位置決め部材６７は、固定部材６０は別体で設けられていてもよい。
【００５１】
図５に示すように、側部パネル４２には、空間５０Ｓ内に、ボルト受け材６９が設けられている。ボルト受け材６９は、閉塞部４７ｃに固定されたベース部６９ａと、ベース部６９ａから側部パネル４２の一面４２ｉ側に延出する延出部６９ｂと、を備えている。ベース部６０ａには、後述するボルト７１が締結される雌ネジ孔（図示無し）が形成されている。延出部６９ｂは、二本一対で、その先端部に、カバー部材７０が突き当たる受け面６９ｃが一体に形成されている。
【００５２】
図７は、空間５０Ｓをカバー部材７０で閉塞した状態を示す側壁部２４の部分斜視図である。
図４、図７に示すように、側部パネル４２は、空間５０Ｓを閉塞するカバー部材７０をさらに備える。カバー部材７０は、板状に形成されている。カバー部材７０は、側部パネル４２の一面４２ｉ側から空間５０Ｓを閉塞する。カバー部材７０は、ボルト挿通孔７０ｈを複数有している。また、カバー部材７０の上辺には、空間５０Ｓ側に突出し、下部フレーム４７の下面に沿う突出片７２が形成されている。
カバー部材７０は、固定部材６０の位置決め部材６７およびボルト受け材６９の受け面６９ｃに突き当てた状態で、各ボルト挿通孔７０ｈにボルト７１を挿通させ、ボルト受け材６９に形成された雌ネジ孔（図示無し）に締結することで、空間５０Ｓを閉塞する。さらに、カバー部材７０の突出片７２は、下部フレーム４７の下面に沿い、図示しないボルト等で下部フレーム４７に固定される。
【００５３】
本実施形態では、側部パネル４２が、作業面１２ｔとの間に空間５０Ｓを画成する下部フレーム４７を有するパネル体４２Ｐと、空間５０Ｓに配置され、パネル体４２Ｐを作業面１２ｔに固定する固定部材６０と、を備える構成とした。
このような構成によれば、空間５０Ｓ内に固定部材６０を配置することで、側部パネル４２の一面４２ｉ側から固定部材６０が突出するのを抑えることができる。これにより、側部パネル４２の美観が損なわれるのを抑えることができる。また、天板１２の作業面１２ｔ上で利用できる有効エリアが狭まったり、作業面１２ｔ上で用いる物品や作業者の手が固定部材６０に引っ掛かったりする等して、作業性が損なわれるのを抑えることができる。
【００５４】
本実施形態では、側部パネル４２の一面４２ｉ側からパネル体４２Ｐに着脱可能に設けられ、空間５０Ｓを閉塞するカバー部材７０をさらに備える構成とした。
このような構成によれば、カバー部材７０によって固定部材６０を覆うことができるので、固定部材６０が空間５０Ｓ外に露呈するのを抑えることができる。
【００５５】
本実施形態では、パネル体４２Ｐに対するカバー部材７０の左右方向の位置を位置決めする位置決め部材６７をさらに備える構成とした。
このような構成によれば、左右方向において、カバー部材７０を容易かつ確実に位置決めすることができる。
【００５６】
本実施形態では、位置決め部材６７は、固定部材６０と一体に設けられている構成とした。
このような構成によれば、側部パネル４２を構成する部品点数を抑えることができる。
【００５７】
本実施形態では、固定部材６０は、作業面１２ｔに固定されるベース板部６２と、側部パネル４２の側方に設けられる支柱３１または中間柱４１に固定される連結板部６３と、を一体に有する構成とした。
このような構成によれば、側部パネル４２が固定部材６０を介して支柱３１または中間柱４１に支持されるので、側部パネル４２を作業面１２ｔに安定して固定できる。
【００５８】
本実施形態では、下部フレーム４７が、対向部４７ａと、閉塞部４７ｃと、を一体で有している構成とした。
このような構成によれば、側部パネル４２の他面４２ｏ側に、固定部材６０や着脱可能なカバー部材７０が露呈することがなく、美観を向上させることができる。
【００５９】
本実施形態のフード２０は、フード本体２０Ａの一部に上述した側部パネル４２を備えているため、美観及び作業性に優れたフード２０を提供できる。
【００６０】
本実施形態では、フード２０を構成する側部パネル４２において、側部パネル４２の他面４２ｏ側に、空間５０Ｓの他面４２ｏ側を閉塞する閉塞部４７ｃが設けられている構成とした。
このような構成によれば、フード本体２０Ａの外部側に臨む側に閉塞部４７ｃが設けられることで、フード２０の美観を向上させるとともに、フード本体２０Ａの作業空間Ｓ１に外部の雰囲気が侵入するのを抑えることができる。
【００６１】
本実施形態のフード付き作業台１は、上述したフード２０を備えているため、美観及び作業性に優れたフード付き作業台１を提供できる。
【００６２】
なお、上述した実施形態では、パネル体４２Ｐが固定部材６０上に載置されることで、作業面１２ｔと下部フレーム４７との間に空間５０Ｓを画成した上で、パネル体４２Ｐが作業面１２ｔに固定される構成について説明したが、この構成のみに限られない。パネル体４２Ｐは、固定部材６０に締結等されていてもよい。
上述した実施形態では、パネル体４２Ｐが支柱３１または中間柱４１にも固定されている構成について説明したが、この構成のみに限られない。パネル体４２Ｐは、少なくとも固定部材６０を介して作業面１２ｔに固定されていればよい。
【００６３】
（その他の実施形態）
以上、本発明の好ましい実施形態を説明したが、本発明はこれら実施形態に限定されることはない。本発明の趣旨を逸脱しない範囲で、構成の付加、省略、置換、およびその他の変更が可能である。本発明は上述した説明によって限定されることはなく、添付の特許請求の範囲によってのみ限定される。
例えば、上述した実施形態では、側部パネル４２の左右方向両側に配置した固定部材６０によって、一対の側部フレーム４８の下端部を作業面１２ｔに固定するようにしたが、これに限らない。
図８は、側部パネル４２の天板１２の作業面１２ｔに対する固定構造の変形例を示す斜視図である。
例えば、図８に示すような固定部材６０Ｂを用いてもよい。この固定部材６０Ｂは、作業面１２ｔに固定されるベース板部（第三固定部）６２Ｂと、閉塞部４７ｃに固定される外面側連結板部（第四固定部）６４と、を一体に有する。固定部材６０Ｂは、ベース板部６２Ｂに形成されたボルト挿通孔６２ｇを通して作業面１２ｔに締結されるボルト６５Ｂと、外面側連結板部６４に形成されたボルト挿通孔６４ｈを通して閉塞部４７ｃに締結されるボルト６６Ｂと、によって固定されている。
また、カバー部材７０は、固定部材６０の位置決め部材６７に形成した雌ネジ部６７ｎに、ビス７３によって締結固定するようにしてもよい。
【００６４】
本実施形態では、固定部材６０Ｂは、作業面１２ｔに固定されるベース板部６２Ｂと、閉塞部４７ｃに固定される外面側連結板部６４と、を一体に有する構成とした。
このような構成によれば、作業面１２ｔと側部パネル４２の閉塞部４７ｃとを、固定部材６０Ｂを介して固定し、側部パネル４２を強固に設置することができる。
【００６５】
図９は、側部パネル４２の天板１２の作業面１２ｔに対する固定構造の他の変形例を示す斜視図である。
図９に示すように、固定部材６０Ｂのベース板部６２Ｂを作業面１２ｔに締結させるボルト６５Ｂは、下部フレーム４７に形成した貫通孔４７ｈに挿通させ、ベース板部６２Ｂに形成されたボルト挿通孔６２ｇを通して作業面１２ｔに締結させるようにしてもよい。
【００６６】
上述した実施形態では、固定部材６０を、側部パネル４２の側方に設けられた支柱３１または中間柱４１に固定するようにしたが、これに限らない。
図１０は、側部パネル４２の天板１２の作業面１２ｔに対する固定構造の他の変形例を示す斜視図である。
図１０に示すように、側部パネル４２の他面４２ｏ側に設けられた閉塞部４７ｃの下端から一面４２ｉ側に延びて作業面１２ｔに沿うベース板（固定部材）８０を設け、このベース板８０に形成されたボルト挿通孔８０ｈを通し、ボルト６５Ｃを作業面１２ｔに締結するようにしてもよい。
【００６７】
上述した実施形態では、本発明に係るパネル部材として、側壁部２４の側部パネル４２を例にして説明したが、この構成のみに限られない。例えば前壁部２２や後壁部２３、上壁部２５にパネル部材を採用してもよい。
【００６８】
上述した実施形態では、側部パネル４２をフード付き作業台１（フード２０）の一部に用いる構成について説明したが、この構成のみに限られない。本発明に係るパネル部材は、例えば執務空間を仕切る仕切部材（パーティション）や、デスク装置の脚や幕板等に採用してもよい。
【００６９】
上述した実施形態では、天板１２にフード２０が設置された構成について説明したが、この構成のみに限られない。例えば床面にフード２０が設置される構成であってもよい。
【００７０】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７１】
１  フード付き作業台
１０  作業台本体
１２  天板
１２ｔ  作業面（取付面）
２０  フード
２０Ａ  フード本体
３１  支柱（縦材）
４１  中間柱（縦材）
４２  側部パネル（パネル部材）
４２Ｐ  パネル体
４７  下部フレーム（横材）
４７ｃ  閉塞部
５０Ｓ  空間
６０  固定部材（固定部材）
６０Ｂ  固定部材（固定部材）
６２  ベース板部（第一固定部）
６２Ｂ  ベース板部（第三固定部）
６３  連結板部（第二固定部）
６４  外面側連結板部（第四固定部）
６７  位置決め部材
７０  カバー部材
８０  ベース板（固定部材）
【図１】
2019166432.tif 000003
【図２】
2019166432.tif 000004
【図３】
2019166432.tif 000005
【図４】
2019166432.tif 000006
【図５】
2019166432.tif 000007
【図６】
2019166432.tif 000008
【図７】
2019166432.tif 000009
【図８】
2019166432.tif 000010
【図９】
2019166432.tif 000011
【図１０】
2019166432.tif 000012